(57)【特許請求の範囲】
【請求項１】
記録媒体が内蔵されるパッケージが装置本体に着脱自在とされている記録媒体の装着装置において、前記パッケージには、前記装置本体への挿入方向に直線的に延びるガイド溝と、このガイド溝と連続し且つ前記挿入方向と交叉する方向に凹状に形成されたロック溝と、前記挿入方向に沿って延びるストッパ溝とが形成され、前記装置本体のパッケージ装填領域には、前記ロック溝と係合して前記パッケージを装填位置でロックするロック部材と、このロック部材を前記ロック溝との係合方向へ付勢する付勢部材と、前記ストッパ溝内に介入するストッパ突起と、前記ロック部材を前記ロック溝から外すとともに前記ストッパ突起を前記ストッパ溝に介入させるロック解除部材と、前記ロック部材が前記ロック溝から外れた状態の前記パッケージを押し出すイジェクト部材とが設けられ、
前記ロック解除部材には、前記ストッパ突起を強制的に移動させて前記ストッパ溝に介入させるストッパ駆動部が設けられており、前記ロック解除部材により前記ロック部材が前記ロック溝から外されて前記パッケージのロックが解除されるときに、前記ストッパ駆動部によって、前記ストッパ突起が前記ストッパ溝に介入させられて、前記ストッパ突起と前記ストッパ溝との係合により、排出方向へ移動する前記パッケージが途中位置で停止させられることを特徴とする記録媒体の装着装置。
【請求項２】
排出方向へ移動する前記パッケージが途中位置で停止させられた後に、前記ロック解除部材が前記ストッパ突起への強制力を解除する方向へ移動して、前記ストッパ突起が前記ストッパ溝から外れる請求項１記載の記録媒体の装着装置。
【請求項３】
前記パッケージを排出するとき以外は、前記ストッパ突起が前記パッケージから離れる位置に待避できるように前記ストッパ突起が前記ストッパ溝から外れる方向へ付勢されている請求項２記載の記録媒体の装着装置。
【請求項４】
前記イジェクト部材により前記パッケージが排出方向へ移動させられ、前記イジェクト部材による排出力が前記パッケージに作用しなくなった時点で、前記ストッパ突起と前記ストッパ溝の端部とが当接する請求項１ないし３のいずれかに記載の記録媒体の装着装置。
【発明の詳細な説明】
【０００１】
【発明の属する技術分野】
本発明は、ＣＤ、ＣＤ−ＲＯＭ、ＤＶＤなどのディスクが単一で収納されまたは複数枚混在して収納されるパッケージ、またはディスク以外の記録手段が内蔵されたパッケージが装置本体に装着される記録媒体の装着装置に関する。
【０００２】
【従来の技術】
複数枚のディスクが収納されるディスクパッケージなどが装着される装置本体では、挿入された前記ディスクパッケージを排出方向へ付勢するイジェクト部材と、装置本体内でパッケージが排出されないようにロックするロック機構とが設けられている。
一般的なロック機構の構造は、ディスクパッケージに、装置本体への挿入方向へ延びるガイド溝と、このガイド溝に連続するロック溝が形成されている。
また装置本体のパッケージ装填領域には、前記ロック溝に係合する方向へ付勢されたロック凸部が設けられている。
【０００３】
よって、ディスクパッケージがパッケージ装填領域に挿入されるときに、前記ロック凸部とガイド溝の側壁とが摺動し、ディスクパッケージが最終位置まで装填されたときに、ロック凸部がロック溝に嵌合し、ディスクパッケージはパッケージ装填領域に装填された状態でロックされる。ディスクパッケージを排出するときには、ロック解除部材によりロック部材が駆動されてロック凸部とガイド溝との係合が解除される。このときイジェクト部材に与えられている排出付勢力により、ディスクパッケージが挿入口の方向へ押し出される。
【０００４】
【発明が解決しようとする課題】
しかし前記従来のディスクパッケージの装着装置では以下に示す問題点がある。
（１）ロック凸部とロック溝との係合が解除されたときに、ディスクパッケージは、付勢力を受けているイジェクト部材の移動力により排出されるが、このときイジェクト部材の排出力を受けてディスクパッケージが勢いよく排出口から突出する。よって例えば板ばねなどの排出負荷をディスクパッケージに与えていても、ディスクパッケージが確実に停止せず、そのまま挿入口から飛び出すことがある。特に複数枚のディスクが収納されたディスクパッケージは重量が大きいために、その慣性力で挿入口から勢いよく飛び出しやすい。
【０００５】
（２）また、ディスクパッケージが勢いよく飛び出さないように、ストッパを設けることも考えられるが、イジェクト部材により排出されるディスクパッケージがストッパに何度も当たることになるため、ストッパを頑丈なものにしなくてはならない。よって小型の装置には十分な停止機能を有するストッパを設けるのが困難である。
【０００６】
本発明は上記従来の課題を解決するものであり、パッケージを排出するときに、途中位置で必ず停止できるようにし、またストッパに作用する負荷も小さくできる記録媒体の装着装置を提供することを目的としている。
【０００７】
【課題を解決するための手段】
本発明は、記録媒体が内蔵されるパッケージが装置本体に着脱自在とされている記録媒体の装着装置において、前記パッケージには、前記装置本体への挿入方向に直線的に延びるガイド溝と、このガイド溝と連続し且つ前記挿入方向と交叉する方向に凹状に形成されたロック溝と、前記挿入方向に沿って延びるストッパ溝とが形成され、前記装置本体のパッケージ装填領域には、前記ロック溝と係合して前記パッケージを装填位置でロックするロック部材と、このロック部材を前記ロック溝との係合方向へ付勢する付勢部材と、前記ストッパ溝内に介入するストッパ突起と、前記ロック部材を前記ロック溝から外すとともに前記ストッパ突起を前記ストッパ溝に介入させるロック解除部材と、前記ロック部材が前記ロック溝から外れた状態の前記パッケージを押し出すイジェクト部材とが設けられ、
前記ロック解除部材には、前記ストッパ突起を強制的に移動させて前記ストッパ溝に介入させるストッパ駆動部が設けられており、前記ロック解除部材により前記ロック部材が前記ロック溝から外されて前記パッケージのロックが解除されるときに、前記ストッパ駆動部によって、前記ストッパ突起が前記ストッパ溝に介入させられて、前記ストッパ突起と前記ストッパ溝との係合により、排出方向へ移動する前記パッケージが途中位置で停止させられることを特徴とするものである。
【０００８】
本発明でのパッケージは、複数枚のディスクが収納されたものに限られず、単一のディスクが収納されたもの、またはメモリおよびＩＣなどの記録媒体が内蔵されたものであってもよい。
【０００９】
本発明では、イジェクト部材により排出されるパッケージが、ストッパとストッパ溝との係合により途中で止まる。よって、パッケージが挿入口から飛び出すことがなく、確実に手で保持できる状態となる。また、ロック解除部材によりストッパ突起が強制的にストッパ溝と係合する位置ヘ移動させられるため、排出途中のパッケージが確実に停止できる。
【００１０】
パッケージには、ガイド溝とこれと独立したストッパ溝とが互いに平行に設けられているため、パッケージの挿入と排出はガイド溝により確実に案内される。またガイド溝が直線状であっても前記ストッパ溝とストッパ突起との係合でパッケージを途中で止めることができるため、例えば図３に示すように２方向にガイド溝が延び、２方向への挿入を想定したパッケージであっても適用可能である。
【００１１】
上記において、排出方向へ移動する前記パッケージが途中位置で停止させられた後に、前記ロック解除部材が前記ストッパ突起への強制力を解除する方向へ移動して、前記ストッパ突起が前記ストッパ溝から外れるように構成することが好ましい。
【００１３】
さらに、前記パッケージを排出するとき以外は、前記ストッパ突起が前記パッケージから離れる位置に待避できるように前記ストッパ突起が前記ストッパ溝から外れる方向へ付勢されていることが好ましい。
【００１４】
この構成では、ストッパをかけるとき以外は、ストッパ突起がパッケージの移動の負荷にならないため、パッケージを挿入するときの抵抗を小さくできる。
【００１５】
さらに、前記イジェクト部材により前記パッケージが排出方向へ移動させられ、前記イジェクト部材による排出力が前記パッケージに作用しなくなった時点で、前記ストッパ突起と前記ストッパ溝の端部とが当接することが好ましい。
【００１６】
この構成では、ストッパ突起とストッパ溝とが係合するときに、ストッパ突起に大きな衝撃力を与えることがない。よってストッパ突起を小型のものにしても、破損等の心配が生じない。
【００１７】
【発明の実施の形態】
図１はディスクパッケージが装填されるディスク装置の実施の形態を示す平断面図、図２は図１の縦断面図である。
図１と図２に示すディスク装置は、筐体Ａの平面形状が長方形であり、筐体Ａの内部には、ディスクパッケージＰを装填する装填領域Ｂと、ディスク駆動領域Ｃとが設けられ、ディスク駆動領域Ｃには、ディスクパッケージＰ内から引き出されたディスクＤを駆動するディスク駆動手段Ｅが設けられている。
前記ディスクパッケージＰは、ディスク装置の筐体Ａ内に対し、長方形の長手方向の前方の挿入口Ａ１から図１と図２のＸ方向へ挿入され、装填領域Ｂに装填される。
【００１８】
図３はディスクパッケージの外観を底面を上にして示す斜視図である。
ディスクパッケージＰは、合成樹脂製のケース１より形成され、図示Ｘ１側に開口部１ａが形成されている。開口部１ａは、図１に点線で示すようなトレイＴおよびディスクＤの引出し口であり、前記ディスク駆動手段Ｅとの間ではこの開口部１ａを通じてディスクＤの受け渡しが行なわれる。
ケース１の左側板１ｂと右側板１ｃの内面には複数の水平リブ（図示せず）が突出形成されており、トレイＴの左右両側縁部が、前記水平リブの間にてガイドされてＸ方向へ摺動自在となっている。このケース１の内部には、複数段の水平リブが形成されており、例えば図２に示すように５枚のトレイＴが引出し自在に収納されている。
【００１９】
このディスク装置のディスクパッケージＰ内には、直径が１２ｃｍのディスクおよび直径が８ｃｍのディスクを収納可能である。また再生専用のＲＯＭ系ディスクと、記録が可能なＲＡＭ系ディスクの双方が混在して収納される。ＲＯＭ系ディスクは、ＣＤやＤＶＤ−ＲＯＭなどであり、ＲＡＭ系ディスクは、ＤＶＤ−ＲＡＭなどである。また直径が８ｃｍのディスクはシングルＣＤなどである。
【００２０】
図３に示すように、ディスクパッケージＰの底面１ｅには、ガイド溝４が形成されている。図３に示すものでは、Ｘ方向とＹ方向に２つ形成されており、それぞれのガイド溝４、４は、Ｘ方向およびＹ方向へ全長にわたって直線的に形成されている。Ｘ方向に形成されたガイド溝４は、図１に示したように装置本体（ディスク装置）に対してディスクパッケージＰをＸ１方向へ挿入する場合に使用され、Ｙ方向に形成されたガイド溝４は、ディスクパッケージＰがＹ１方向へ挿入されるタイプのディスク装置に対応するためのものである。ガイド溝４の先端（図示Ｘ１およびＹ１側）には、傾斜部４ａ１および４ａ２により拡開部４ａがそれぞれ形成されている。またＸ２およびＹ２側の最奥部には、後述するロック部材１１が係合するロック係合部として機能するロック溝４ｂがそれぞれ形成されている。
各種のディスクＤを収納したディスクパッケージＰは、図１および図２に示した筐体Ａの挿入口Ａ１より挿入され、ディスクパッケージＰは装填領域Ｂに装填される。
【００２１】
図４と図５は筐体の装填領域の底部に設けられた機構構造を、ディスク装置の底部側（裏側）を上向きにして示した底面図である。
ディスクの装填領域Ｂにおいて、装置本体の筐体の底板Ｂ１にはガイド凸部３が複数個設けられている。このガイド凸部３は低い頭部を有するピンまたはねじが底板Ｂ１に植設されたものである。図４と図５に示すように、前記ガイド凸部３はＸ方向に一列に並んでいる。前記ガイド溝４は直線的に形成されているものであるため、ガイド溝４が複数の前記ガイド凸部３を摺動することにより、ディスクパッケージＰが案内されてＸ１方向へ挿入される。
【００２２】
符号１１は、合成樹脂などを射出成形して形成されたロック部材である。このロック部材１１は、底板Ｂ１に固定された支軸１１ａを支点に回動自在に設けられており、ロック部材１１に形成された孔１１ｂと筐体Ａから折り曲げ形成された係止部１２との間に張架されたコイルスプリングなどの付勢部材Ｓ１により、図示α１方向に付勢されている。また、孔１１ｂが穿設された部分からさらにＹ１方向へ、スイッチ押圧部１１ｃが延びている。また、底板Ｂ１には、前記スイッチ押圧部１１ｃが対向する検知スイッチＳＷが取付けられている。
ロック部材１１のＸ１側の先端部には、ディスク装填部Ｂの方向へ延びるロック凸部１１ｄが一体に形成されており、凸部１１ｄは筐体Ａの底板Ｂ１に形成された扇孔１３に入り、ディスク装填部Ｂ内に突出している。さらに、ロック部材１１のＹ１側には当接部１１ｅが形成され、Ｙ２側にはロック解除凸部１１ｆが一体に形成されている。
【００２３】
また、筐体Ａの装填領域Ｂの底板Ｂ１には、イジェクト部材としてイジェクトプレート１４が設けられている。イジェクトプレート１４のＸ１方向に端部には、筐体Ａの内方へ折り曲げられたＴ字形状の受部１４ｂが形成されている。受部１４ｂは、底板Ｂ１に穿設された案内溝１５に挿入されている。またイジェクトプレート１４には、ガイド溝１４ｄが穿設されており、底板Ｂ１から折り曲げ形成されたＴ字突起１７がガイド溝１４ｄに挿入されている。イジェクトプレート１４は、前記案内溝１５およびガイド溝１４ｄに沿って、Ｘ方向へ直線的に移動する。
【００２４】
イジェクトプレート１４に形成された係止部１４ｃと、装填領域Ｂの底板Ｂ１に折り曲げ形成された係止片１６との間には、コイルスプリングなどの付勢部材（イジェクト付勢部材）Ｓ２が張架され、イジェクトプレート１４は、付勢部材Ｓ２の付勢力により常にＸ２方向に付勢されている。図４は、イジェクトプレート１４が最もＸ２方向へ移動した（イ）の状態を示している。このとき、イジェクトプレート１４の受部１４ｂが案内溝１５のＸ２側の端部に当り、あるいはガイド溝１４ｄのＸ１側の端部がＴ字突起１７に当り、イジェクトプレート１４は（イ）の位置からそれ以上Ｘ２方向へ移動しないように規制される。
イジェクトプレート１４のＹ２側の縁部には、間隔を開けて一対の突片が一体に形成されている。Ｘ１側に位置している突片は規制押圧部１４ｅであり、Ｘ２側に位置しているのが規制解除押圧部１４ｆである。イジェクトプレート１４および前記規制解除押圧部１４ｆが、次に述べる規制リンク１８によるロック部材１１への規制動作を解除する規制解除部材として機能する。
【００２５】
前記ロック部材１１とイジェクトプレート１４との間には規制部材となる規制リンク１８が設けられている。この規制リンク１８は、底板Ｂ１に固定された軸１９に回動自在に支持されている。規制リンク１８と底板Ｂ１に形成された係止片２２との間には、コイルスプリングなどの付勢部材（規制付勢部材）Ｓ３が掛けられており、この付勢部材Ｓ３により規制リンク１８は反時計方向へ付勢されている。規制リンク１８の両端にはピン２１ａと２１ｂが固定されており、一方のピン２１ａはロック部材１１の当接部１１ｅに当接できるように対向し、他方のピン２１ｂは、イジェクトプレート１４に形成された規制押圧部１４ｅおよび規制解除押圧部１４ｆにより押圧される位置に対向している。
【００２６】
底板Ｂ１のＹ２側の縁部には、ロック解除部材として機能するレバー２５がＸ１−Ｘ２方向へ移動するように設けられている。このレバー２５はモータの動力によりＸ１−Ｘ２方向へ駆動され、このレバー２５の移動力により、図２に示したディスク駆動手段ＥがＺ１−Ｚ２方向へ昇降移動させられ、この昇降移動により、ディスクパッケージＰ内のディスクＤが選択される。レバー２５がＸ２方向へ移動するとディスク駆動手段ＥがＺ２方向へ下降するが、レバー２５が図４と図５とで▲１▼で示す位置まで移動したときにディスク駆動手段ＥがディスクパッケージＰ内の最下段のディスクＤを選択できる位置へ移動する。レバー２５は、その位置からさらにわずかにＸ２方向へ駆動可能であり、図４で鎖線で示す▲２▼位置まで移動できるが、▲１▼と▲２▼の間を移動するときディスク駆動手段Ｅは最下段のディスクを選択できる位置に停止したままとなる。
底板Ｂ１の下部に延びている前記レバー２５ではＹ１方向に延びるロック解除部２５ａが一体に形成され、このロック解除部２５ａは、ロック部材１１のロック解除凸部１１ｆに対向している。またロック部材１１のＹ２側には、図６（Ａ）（Ｂ）に示すようなストッパ駆動部２５ｂが設けられている。
【００２７】
図６は、図４および図５のＶＩ矢視側面図である。
図６（Ａ）（Ｂ）に示すように、底板Ｂ１には底部方向へ延びる支持片３１が折り曲げ形成されており、この支持片３１に固定された軸３２にストッパアーム３３が回動自在に支持されている。前記軸３２にはトーションばね３４が掛けられており、このトーションばね３４によりストッパアーム３３は図６において時計方向へ付勢されている。図６（Ａ）はストッパアーム３３が最も時計回りに回動した状態を示しており、ストッパアーム３３は図６（Ａ）の位置でそれ以上時計方向へ回動しないように規制される。なお、この規制のための詳しい構造は省略する。
【００２８】
ストッパアーム３３の一方にはストッパ突起３３ａが一体に形成され、他方には被押圧部３３ｂが形成されている。また、前記レバー２５のストッパ駆動部２５ｂは先端が傾斜面２５ｃとなるように折り曲げられており、この傾斜面２５ｃによりストッパアーム３３の被押圧部３３ｂが押圧される。また、図３に示すように、ディスクパッケージＰのケース１の底面１ｅには、Ｘ方向へ延びる前記ガイド溝４と平行なストッパ溝１ｄが形成されており、図６に示すように、前記ストッパ突起３３ａが前記ストッパ溝１ｄに入り込めるようになっている。
【００２９】
以下、上記のように構成されるディスク装置の動作について説明する。
ディスクパッケージＰが挿入されていないときおよび挿入途中では、図４に示すように、レバー２５は▲１▼の位置にある。このとき、レバー２５のロック解除部２５ａはロック部材１１のロック解除凸部１１ｆから離れている。
また図６（Ａ）に示すように、レバー２５のストッパ駆動部２５ｂはストッパアーム３３の被押圧部３３ｂから離れている。よって、ストッパアーム３３はトーションばね３４の弾性力により時計方向へ回動させられ、ストッパ突起３３ａは底板Ｂ１の位置まで下降し、ストッパ突起３３ａがディスクパッケージＰのケース１の底面１ｅに当たらず、ディスクパッケージＰの挿入を妨げない。
【００３０】
またイジェクトプレート１４は付勢部材Ｓ２の付勢力によりＸ２方向へ移動して図４に示す（イ）の位置にある。よってイジェクトプレート１４に設けられた規制押圧部１４ｅにより規制リンク１８のピン２１ｂがＸ２方向へ押され、規制リンク１８が反時計方向へ回動している。規制リンク１８のＹ２側のピン２１ａは、ロック部材１１の当接部１１ｅに当接しており、ロック部材１１がα２方向へ回動させられた状態で規制されている。その結果、ロック部材１１に一体に形成されたロック凸部１１ｄと複数のガイド凸部３とが、Ｘ方向への同一線上に位置している。
【００３１】
ディスクパッケージＰが挿入口Ａ１に挿入される際、ディスクパッケージＰのケース１の底面１ｅに形成されたガイド溝４に、一直線上に配置されたガイド凸部３および前記ロック凸部１１ｄが入り込む。ディスクパッケージＰがＸ１方向へ挿入される際、ロック凸部１１ｄは、ガイド凸部３と一緒に案内部材として機能し、ロック凸部１１ｄは、ガイド溝４の側壁に加圧力を与えることがなく、ロック凸部１１ｄがディスクパッケージＰの挿入の際に負荷を与えない。また、ガイド凸部１１ｄは図４の位置で停止しており、それ自体が案内部材として機能しているので、ガイド凸部１１ｄを案内部材として用い、その分ガイド凸部３の数を減らすかまたはガイド凸部３を無くすことも可能である。
【００３２】
ディスクパッケージＰが装填領域Ｂ内に進入すると、ケース１の縁部１ｇがイジェクトプレート１４の受部１４ｂに当接する。さらにディスクパッケージＰが挿入されると縁部１ｇが受部１４ｂを装填領域Ｂの奥部方向に押圧するため、イジェクトプレート１４が付勢部材Ｓ２の付勢力に逆って図示Ｘ１方向へ移動する。ディスクパッケージＰがディスク装填領域Ｂに完全に挿入されると、図５に示すように、イジェクトプレート１４が（ロ）の位置ヘ移動する。このとき、イジェクトプレート１４に形成された規制解除押圧部１４ｆにより規制リンク１８のピン２１ｂがＸ１方向へ押され、規制リンク１８が時計方向へ回動する。よって、規制リンク１８の右側のピン２１ａがロック部材１１の当接部１１ｅから外れて、ロック部材１１の規制が加除され、ロック部材１１は付勢部材Ｓ１の付勢力でα１方向へ回動する。そして、ロック部材１１に設けられたロック凸部１１ｄが、ディスクパッケージＰのガイド溝４のＸ２側に形成されたロック溝４ｂ内に嵌合し、ディスクパッケージＰは装填部Ｂに装填された状態でロックされる。
【００３３】
なお、規制リンク１８が時計方向へ回動してロック部材１１の規制が解除されるタイミングと、ロック凸部１１ｄがディスクパッケージＰのロック溝４ｂに介入するタイミングについて説明する。ディスクパッケージＰがＸ１方向へ挿入され装填領域Ｂに完全に装着される直前に規制解除押圧部１４ｆにより規制リンク１８が時計方向へ回動させられてロック部材１１の規制が解除されて、ロック部材１１に付勢部材Ｓ１によるα１方向への付勢力が作用し、ロック凸部１１ｄがケース１のガイド溝４の側壁に弾圧される。その直後のディスクパッケージＰが完全に装着されたときに、前記付勢部材Ｓ１の付勢力によりロック凸部１１ｄがロック溝４ｂ内に介入してロックが完了する。
【００３４】
このようにタイミングを設定することにより、手でディスクパッケージＰをＸ１方向へ押したときに、その最終行程でロック凸部１１ｄがロック溝４ｂ内に確実に入り込むようになる。
あるいは、ディスクパッケージＰが装填領域Ｂ内に完全に挿入されたときに、規制解除押圧部１４ｆにより規制リンク１８が時計方向へ回動させられ、ロック部材１１の規制が解除され、このときロック凸部１１ｄが直接ロック溝４ｂ内に入り込むようにしてもよい。
【００３５】
このロックと同時に、ロック部材１１に形成されたスイッチ押圧部１１ｃにより検知スイッチＳＷの押釦が押圧され、検知スイッチＳＷの電気接点がＯＮに切換えられる。検知スイッチＳＷからＯＮの信号が得られることにより、装置本体に設けられた電気回路において、ディスクパッケージＰが確実に装填され且つロックされたことが確認される。
【００３６】
なお、ディスクパッケージＰが筐体Ａの挿入口Ａ１から挿入され、図５に示すようにロックが完了するまでの間、レバー２５は▲１▼の位置にある（または▲１▼の位置よりもＸ１側に位置していてもよい）。したがって、底板Ｂ１に設けられているストッパアーム３３は図６（Ａ）に示すように時計方向へ回動したままであり、ストッパ突起３３ａはディスクパッケージＰのケース１の底面１ｅから離れている。ただし、ディスクパッケージＰが図５に示すようにロックされた状態では、ケース１の底面に形成されたストッパ溝１ｄのＸ２側の端部１ｄ２が、ストッパ突起３３ａの真上よりもややＸ２側に位置し、ストッパ突起３３ａはいつでもストッパ溝１ｄ内に入り込めるようになっている。
【００３７】
次に、ディスクパッケージＰを取り出す操作を説明する。
ディスクパッケージＰの取り出しは、ディスク装置の操作パネル、またはリモコン装置などに設けられたイジェクト釦を操作することにより開始される。イジェクト釦が押されると、モータの動力でレバー２５が▲１▼の位置からさらにＸ２方向へ移動して図４および図６（Ｂ）に示すように▲２▼の位置に至る。そしてレバー２５のロック解除部２５ａによりロック部材１１のロック解除凸部１１ｆが押され、ロック部材１１が図５に示すロック状態からα２方向へ回動する。よって、ロック部材１１に形成されたロック凸部１１ｄが、ディスクパッケージＰのケース１のロック溝４ｂから外れ、ディスクパッケージＰはロックが解除されて自由状態になる。このとき、付勢部材Ｓ２によりＸ２方向へ移動しようとしているイジェクトプレート１４の受部１４ｂによりディスクパッケージＰのケース１の縁部１ｇがＸ２方向へ押され、ディスクパッケージＰがＸ２方向へ排出される。
【００３８】
レバー２５が▲２▼の位置へ移動して、ロック部材１１によるロックが解除されると同時に、図６（Ｂ）に示すように、レバー２５に形成されているストッパ駆動部２５ｂがストッパアーム３３の被押圧部３３ｂを押すため、ストッパアーム３３は反時計方向へ回動し、ストッパ突起３３ａがディスクパッケージＰのケース１の底面１ｅのストッパ溝１ｄ内に入り込む。よって、イジェクトプレート１４によりＸ２方向へ排出されるディスクパッケージＰでは、図６（Ｂ）に示すようにストッパ溝１ｄのＸ１側の端部１ｄ１がストッパ突起３３ａに当り、それ以上Ｘ２方向へ突出することがない。また図６（Ｂ）に示すように、ストッパ溝１ｄの端部１ｄ１がストッパ突起３３ａに当たるときに、ちょうどイジェクトプレート１４は図４に示す（イ）の位置に至り、案内溝１５と受部１４ｂとが当り、あるいはガイド溝１４ｄとＴ字突起１７とが当って停止する。この時点でイジェクトプレート１４には付勢部材Ｓ２のＸ２方向への付勢力が作用しない。
【００３９】
したがって、図６（Ｂ）に示すように、ストッパ溝１ｄの端部１ｄ１がストッパ突起３３ａに当たるときには、ディスクパッケージＰには付勢部材Ｓ２によるＸ２方向への排出付勢力が作用していない。ストッパ溝１ｄの端部１ｄ１がストッパ突起３３ａを衝撃的にＸ２方向へ押すことがないため、ストッパアーム３３が非常に小さい部品で、また樹脂成形などで形成されたものであっても、ディスクパッケージＰの排出力でストッパアーム３３が変形したり破損することがない。
【００４０】
またイジェクトプレート１４がＸ２方向へ移動して図４に示す（イ）の位置に至ると、イジェクトプレート１４の規制解除押圧部１４ｆがピン２１ｂから離れ、規制リンク１８は付勢部材Ｓ３の弾性力により反時計回りに復帰する。そしてさらにイジェクトプレート１４に設けられた規制押圧部１４ｅによりピン２１ｂがＸ２方向へ押され、規制リンク１８は強制的に反時計方向へ回動させられる。よって規制リンク１８のピン２１ａがロック部材１１の当接部１１ｅに当接し、ロック部材１１がα２方向へ回動させられ、ロック凸部１１ｄはガイド凸部３と一列となる位置に停止する。
【００４１】
イジェクト動作が完了した直後は、ディスクパッケージＰは筐体Ａの挿入口Ａ１から所定量突出した状態で停止している。図６（Ｂ）に示すようにストッパ突起３３ａがストッパ溝１ｄ内に入っているため、この状態でディスクパッケージＰを抜き出すことができない。よってディスクパッケージＰが図４および図６（Ｂ）の状態に突出した直後に、モータの動力でレバー２５がＸ１方向へ移動して▲１▼の位置ヘ戻り、ストッパ駆動部２５ｂがストッパアーム３３から離れる。よってストッパアーム３３はトーションばね３４の弾性力により図６（Ａ）に示すように時計方向へ回動し、ストッパ突起３３ａがストッパ溝１ｄから外れる。よって、ディスクパッケージＰをＸ２方向へ抜き出すことが可能になる。
【００４２】
図６（Ｂ）の状態からレバー２５をＸ１方向へ移動させるときのタイミングは、例えばディスクパッケージＰが図４に示す位置まで突出したことをスイッチで検知し、この検知出力が得られたときにモータを始動して、レバー２５をＸ１方向へ移動させてもよいし、あるいはレバー２５を▲１▼の位置から▲２▼の位置ヘ移動させてロック部材１１を動作させディスクパッケージＰのロックを解除した後にタイマーにより所定時間を設定し、この所定時間経過後にレバー２５をＸ１方向へ戻してもよい。
【００４３】
図６（Ａ）に示すように、ディスクパッケージＰが装填されているときには、ロック解除直後にストッパ突起３３ａがストッパ溝１ｄ内に直ちに入り込むことができるよう、ストッパ溝１ｄの端部１ｄ２はストッパ突起３３ａの真上よりもややＸ２側に位置している。また、イジェクトプレート１４によりディスクパッケージＰが排出され、イジェクトプレート１４が（イ）の位置で停止したときに、ストッパ溝１の端部１ｄ１がストッパ突起３３ａに当たるかあるいはきわめて接近していることが必要である。よって、ストッパ溝１ｄの長さＬは、イジェクトプレート１４の移動距離、すなわちディスクパッケージＰがロック状態からイジェクトプレート１４に押し出されるまでの移動距離とほぼ等しいかあるいはそれ以上であることが必要である。
【００４４】
この実施の形態では、図５に示すようにディスクパッケージＰが装填領域Ｂ内でロックされたときにのみロック部材１１がα１方向へ回動して検知スイッチＳＷがＯＮの状態になるが、それ以外の状態、すなわちディスクパッケージＰが挿入されていないとき、および挿入途中では、ロック部材１１は規制リンク１８により規制されてα２方向へ回動しており、検知スイッチＳＷは常にＯＦＦである。
【００４５】
このように、検知スイッチＳＷは、ディスクパッケージＰが装填されているときにのみＯＮであるため、ディスクパッケージＰが装填されているか否かを１つの検知スイッチＳＷで確実に検出することができる。例えば、電源を投入したときに、検知スイッチＳＷの状態を監視することにより、ディスクパッケージの装填状態を確実に検知できる。またディスクパッケージＰが確実にロックされない限りは、検知スイッチＳＷがＯＮにならないため、ディスクパッケージＰが不完全に挿入された状態で、ディスクパッケージが装填されていると誤判別することがない。
【００４６】
【発明の効果】
以上のように本発明の記録媒体の装着装置では、パッケージが排出されるときに、手で持てる位置に確実に停止する。
【００４７】
また、ストッパ突起がパッケージの装填時の負荷になることがない。
【００４８】
さらに、ストッパ突起に与える衝撃力を弱くし、ストッパ突起の破損等を防止できる。
【図面の簡単な説明】
【図１】ディスク装置の平断面図、
【図２】図１に示すディスク装置の縦断面図、
【図３】ディスクパッケージを底面を上向きとして示した斜視図、
【図４】装填領域の背面の機構構造を示す底面図、
【図５】装填領域の背面の機構構造を示す底面図であり、パッケージの装填完了状態を示す、
【図６】（Ａ）（Ｂ）は、図４と図５のＶＩ矢視の拡大側面図、
【符号の説明】
Ａ  筐体
Ｂ  装填領域
Ｂ１  底板
Ｄ  ディスク
Ｐ  ディスクパッケージ
Ｓ１、Ｓ２、Ｓ３  付勢部材
ＳＷ  検知スイッチ
１  ケース
１ｄ  ストッパ溝
１ｇ  縁部
４  ガイド溝
４ｂ  ロック溝
１１  ロック部材
１１ｄ  ロック凸部
１４  イジェクトプレート
１４ｅ  規制押圧部
１４ｆ  規制解除押圧部
１８  規制リンク
２５  レバー（ロック解除部材）
２５ａ  ロック解除部
２５ｂ  ストッパ駆動部
３３  ストッパアーム
３３ａ  ストッパ突起
【図１】
0003566045.tif 000002
【図２】
0003566045.tif 000003
【図３】
0003566045.tif 000004
【図４】
0003566045.tif 000005
【図５】
0003566045.tif 000006
【図６】
0003566045.tif 000007